(57)【要約】【課題】シール空間をシールするシール部材の圧縮率を高めつつ充填率を低減し得る構成を提供する。【解決手段】主ケース２０には、組付時に被収容物が収容される第１収容空間２１及び第２収容空間２２をそれぞれ囲うように環状の溝部２３，２４が形成され、第１ケース３０及び第２ケース４０には、組付時に溝部２３，２４に対向する対向部３１，４１がそれぞれ形成される。そして、溝部２３，２４内には、組付時にシール空間Ｓをシールする環状のシール部材６０がそれぞれ配置され、このシール部材６０は、溝部２３，２４に沿う方向に直交する断面の形状が、中央部６１と当該中央部６１から外方へ突出する複数の突起部６２ａ〜６２ｄとを備えるように形成される。【選択図】図４
2019192665.tif 000002
【特許請求の範囲】
【請求項１】
一方のケースおよび他方のケースが組み付けられることで収容された被収容物を保護する筐体が構成される端末装置であって、
前記一方のケースには、組付時に前記被収容物を囲うように環状の溝部が形成され、
前記他方のケースには、組付時に前記溝部に対向する対向部が形成され、
前記溝部内には、組付時に前記対向部により押圧されることで前記溝部と前記対向部とにより形成されるシール空間をシールする環状のシール部材が配置され、
前記シール部材は、前記溝部に沿う方向に直交する断面の形状が、全周の少なくとも一部において、中央部と当該中央部から外方へ突出する複数の突起部とを備えるように形成されることを特徴とする端末装置。
【請求項２】
前記シール部材は、前記溝部に沿う方向に直交する断面の形状が、全周にわたって、前記中央部と前記複数の突起部とを備えるように形成されることを特徴とする請求項１に記載の端末装置。
【請求項３】
前記シール部材は、前記溝部に沿う方向に直交する断面の形状が、前記中央部に対して４つの前記突起部が等間隔に配置されて外方へ突出するように形成されることを特徴とする請求項１又は２に記載の端末装置。
【発明の詳細な説明】
【技術分野】
【０００１】
本発明は、複数のケースが組み付けられることで収容された被収容物を保護する筐体が構成される端末装置に関する。
【背景技術】
【０００２】
従来、２つケースが組み付けられることで筐体が構成される端末装置において、筐体にて収容された被収容物について防塵防水性能を確保するため、ゴム等を材料としたＯリングを両ケースの嵌合部となる溝に入れて圧縮させる技術が採用される。このような防塵防水性能を確保するための構造として、例えば、下記特許文献１に開示される防水部材が知られている。
【０００３】
この防水部材は、筐体の内部と外部とを連通する連通孔に設けられるもので、呼吸フィルターが連通孔に設置される設置部材を有し、この設置部材は、開口部が呼吸フィルターで閉塞された筒部の筐体内部の端部と筐体外部の端部とにそれぞれ鉤部と環状部とが設けられるように形成される。そして、環状部の環状下面と、筐体の外壁面における環状下面と対向する環状外壁面と、筒部の環状外側面と、によって構成された環状空間にＯリングが配置され、環状空間に連通する環状隙間を外側から閉塞する防水リングを設けることで、Ｏリングを外部雰囲気から隔離して、Ｏリングの劣化を抑制している。
【先行技術文献】
【特許文献】
【０００４】
【特許文献１】特開２０１４−１２３６２５号公報
【発明の概要】
【発明が解決しようとする課題】
【０００５】
ところで、端末装置には、その使用用途によって、落下などによる外力や、幅広い温度範囲（−２０℃〜５０℃）、経年変化等に耐えるような設計が求められる場合がある。一般的に、２つのケースを組み付けた筐体にて上記性能を確保するためには、一方のケースに形成される溝と他方のケースの対向部とにより形成されるシール空間にＯリングを嵌めこみ、このシール空間でのＯリングの圧縮率を高める方法が採用される。
【０００６】
Ｏリングの線径を太くすることでＯリングの圧縮率を高めることができるが、Ｏリングの線径を単に太くしていると上記シール空間でのＯリングの充填率も高くなる。このようにＯリングの充填率が高くなると、Ｏリングの寸法ばらつき等がある場合にそのばらつき等に起因して亀裂などが発生し易くなるという問題がある。
【０００７】
本発明は、上述した課題を解決するためになされたものであり、その目的とするところは、シール空間をシールするシール部材の圧縮率を高めつつ充填率を低減し得る構成を提供することにある。
【課題を解決するための手段】
【０００８】
上記目的を達成するため、特許請求の範囲の請求項１に記載の発明は、
一方のケース（２０）および他方のケース（３０，４０）が組み付けられることで収容された被収容物を保護する筐体（１１）が構成される端末装置（１０）であって、
前記一方のケースには、組付時に前記被収容物を囲うように環状の溝部（２３，２４）が形成され、
前記他方のケースには、組付時に前記溝部に対向する対向部（３１，４１）が形成され、
前記溝部内には、組付時に前記対向部により押圧されることで前記溝部と前記対向部とにより形成されるシール空間（Ｓ）をシールする環状のシール部材（６０，６０ａ）が配置され、
前記シール部材は、前記溝部に沿う方向に直交する断面の形状が、全周の少なくとも一部において、中央部（６１）と当該中央部から外方へ突出する複数の突起部（６２ａ〜６２ｆ）とを備えるように形成されることを特徴とする。
なお、上記各括弧内の符号は、後述する実施形態に記載の具体的手段との対応関係を示すものである。
【発明の効果】
【０００９】
請求項１の発明では、一方のケースには、組付時に被収容物を囲うように環状の溝部が形成され、他方のケースには、組付時に溝部に対向する対向部が形成される。そして、溝部内には、組付時に対向部により押圧されることで溝部と対向部とにより形成されるシール空間をシールする環状のシール部材が配置され、このシール部材は、溝部に沿う方向に直交する断面の形状が、全周の少なくとも一部において、中央部と当該中央部から外方へ突出する複数の突起部とを備えるように形成される。
【００１０】
これにより、一方のケースと他方のケースとの組み付け時には、シール部材は、全周の少なくとも一部において、溝部及び対向部の押圧により各突起部が押し潰されるように弾性変形して圧縮される。その一方で、シール部材の上記全周の少なくとも一部において、上記押圧により各突起部が中央部の外面に沿う方向に弾性変形できるスペースが確保される。このため、上記圧縮率を高めたとしても、Ｏリングのように外面の大半にて溝部及び対向部に接触する場合と比較して、シール空間での充填率が低減される。したがって、シール空間をシールするシール部材の圧縮率を高めつつ充填率を低減することができる。
【００１１】
請求項２の発明では、シール部材は、溝部に沿う方向に直交する断面の形状が、全周にわたって、中央部と複数の突起部とを備えるように形成されるため、シール部材の全周にわたって圧縮率を高めつつ充填率を低減することができる。
【００１２】
請求項３の発明では、シール部材は、溝部に沿う方向に直交する断面の形状が、中央部に対して４つの突起部が等間隔に配置されて外方へ突出するように形成される。これにより、シール部材は、断面Ｘ字状に形成されるため、組み付け時のねじれに対してねじれ難い形状となり、組み付け性を向上させることができる。特に、４つの突起部が等間隔に配置されるため、水圧等の外圧が外部からシール空間に作用する場合でも、その外圧が突起部を溝部や対向部に押し付ける方向に作用することとなり、低い圧縮率でも高いシール性を保つことができる。
【図面の簡単な説明】
【００１３】
【図１】本実施形態に係る携帯端末の構成概要を示す図であり、図１（Ａ）は平面図を示し、図１（Ｂ）は側面図を示す。
【図２】主ケースから第１ケースを取り外して第１収容空間を露出させた状態を説明する説明図である。
【図３】主ケースから第２ケースを取り外して第２収容空間を露出させた状態を説明する説明図である。
【図４】図４（Ａ）は、溝部及び対向部から圧縮力を受けてしないシール部材の状態を説明する断面図であり、図４（Ｂ）は、溝部及び対向部から圧縮力を受けて弾性変形したシール部材の状態を説明する断面図である。
【図５】本実施形態の変形例に係る携帯端末の要部を説明する断面図であり、図５（Ａ）は、溝部及び対向部から圧縮力を受けてしないシール部材の状態を示し、図５（Ｂ）は、溝部及び対向部から圧縮力を受けて弾性変形したシール部材の状態を示す。
【発明を実施するための形態】
【００１４】
［第１実施形態］
以下、本発明の第１実施形態に係る端末装置を適用した携帯端末について、図面を参照して説明する。
本実施形態に係る携帯端末１０は、ユーザによって携帯されて様々な場所で用いられる携帯型の情報読取端末として構成されており、アンテナを介して送受信される電波を媒介としてＲＦＩＤタグなどの無線タグに記憶されている情報を読み書きする機能に加えて、バーコードや二次元コードなどの情報コードを光学的に読み取る情報コードリーダとしての機能を兼ね備え、読み取りを二方式で行いうる構成となっている。
【００１５】
図１（Ａ）（Ｂ）に示すように、携帯端末１０は、主ケース２０に対して、３つのケース（以下、第１ケース３０、第２ケース４０及び第３ケース５０ともいう）が組み付けられることで収容された被収容物を保護する筐体１１を備えている。この筐体１１内には、被収容物として、例えば、無線タグの情報を読み書きする機能や情報コードを光学的に読み取る機能を実現するための各種電気部品が収容されている。この筐体１１内の電気的構成は、無線タグリーダライタ及び情報コードリーダの双方の機能を兼備する公知の情報読取端末と同様の構成とすることができる。
【００１６】
また、主ケース２０には、タッチパネル型の表示器が設けられており、この表示器の表示画面１２は、狭額縁化（狭ベゼル化）されるように大型化されて、主ケース２０の表面に配置されている。
【００１７】
第１ケース３０は、情報コードを光学的に読み取る機能の少なくとも一部を構成する光学ユニットの外郭を構成するケースであって、主ケース２０の裏面側上部の第１収容空間２１を閉塞するように主ケース２０に組み付けられる。第１ケース３０には、情報コードからの反射光を取り込む読取口１３が大きく開口するように設けられている。
【００１８】
第２ケース４０は、充電端子や外部通信用のコネクタ等を備えるユニットの外郭を構成するケースであって、主ケース２０の裏面側下部の第２収容空間２２を閉塞するように主ケース２０に組み付けられる。なお、主ケース２０は、「一方のケース」の一例に相当し、第１ケース３０及び第２ケース４０は、「他方のケース」の一例に相当し得る。
【００１９】
第３ケース５０は、電池蓋として機能するもので、主ケース２０の第１収容空間２１と第２収容空間２２との間に位置する電池収容空間を閉塞するように主ケース２０に組み付けられる。この第３ケース５０は、製品出荷後も主ケース２０に対して着脱される一方で、第１ケース３０及び第２ケース４０は、製品出荷後は基本的に取り外されないようになっている。
【００２０】
次に、主ケース２０に対して第１ケース３０及び第２ケース４０を組み付ける際のシール構造について図面を参照して説明する。
本実施形態では、主ケース２０及び第１ケース３０間と、主ケース２０及び第２ケース４０間とに、それぞれゴムパッキン等からなるシール部材６０を設けることで、筐体１１の防塵性や防水性等の機能を確保している。
【００２１】
具体的には、図２及び図３に示すように、主ケース２０の裏面側上部には、第１収容空間２１を囲うように環状の溝部２３が形成され、主ケース２０の裏面側下部には、第２収容空間２２を囲うように環状の溝部２４が形成されている。
【００２２】
第１ケース３０の主ケース２０側には、組み付け時に溝部２３に対向する対向部３１が形成されており、溝部２３と対向部３１とにより構成されるシール空間Ｓをシール部材６０にてシールすることで、第１収容空間２１が保護される。また、第２ケース４０の主ケース２０側には、組み付け時に溝部２４に対向する対向部４１が形成されており、溝部２４と対向部４１とにより構成されるシール空間Ｓをシール部材６０にてシールすることで、第２収容空間２２が保護される。
【００２３】
ここで、シール部材６０によるシール構造等について、図４を参照して詳述する。なお、図４（Ａ）は、溝部２３（２４）及び対向部３１（４１）から圧縮力を受けてしないシール部材６０の状態を説明する断面図であり、図４（Ｂ）は、溝部２３（２４）及び対向部３１（４１）から圧縮力を受けて弾性変形したシール部材６０の状態を説明する断面図である。
【００２４】
シール部材６０は、図４（Ａ）に示すように、溝部２３（２４）に沿う方向に直交する断面の形状が、全周にわたって、中央部６１に対して４つの同形状の突起部６２ａ〜６２ｄが等間隔に配置されて外方へ突出するように形成される。すなわち、シール部材６０は、全周にわたって断面Ｘ字状に形成されるため、組み付け時のねじれに対してねじれ難い形状となる。
【００２５】
このように形成されるシール部材６０は、第１収容空間２１に関して、２つの突起部（図４（Ａ）の例では、突起部６２ａ，６２ｂ）が溝部２３の底面に接触するように溝部２３内に配置される。この状態で、第１ケース３０と主ケース２０との組み付け時に、第１ケース３０の対向部３１からの押圧力に応じて、図４（Ｂ）に示すように、各突起部６２ａ〜６２ｄが押し潰されるように弾性変形して圧縮されることで、シール空間Ｓがシールされる。このような圧縮状態では、上記押圧により各突起部６２ａ〜６２ｄが幅方向（中央部の外面に沿う方向）に弾性変形できるスペースが確保されるため、上記圧縮率を高めたとしてもシール空間Ｓでのシール部材６０の充填率が低減される。
【００２６】
同様に、第２収容空間２２に関して、主ケース２０の溝部２４内にシール部材６０が配置される。この状態で、第２ケース４０と主ケース２０との組み付け時に、第２ケース４０の対向部４１からの押圧力に応じて、各突起部６２ａ〜６２ｄが押し潰されるように弾性変形して圧縮されることで、シール空間Ｓがシールされる。
【００２７】
このようなシール状態では、例えば、図４（Ｂ）に例示するように、水圧等の外圧Ｐが外部からシール空間Ｓに作用する場合でも、その外圧Ｐが一部の突起部（図４（Ｂ）の例では、突起部６２ｄ，６２ａ）を溝部２３（２４）や対向部３１（４１）に押し付ける方向に作用することとなる。このように突起部が溝部２３（２４）や対向部３１（４１）に押し付けられることで、第１収容空間２１（第２収容空間２２）内への進入が阻害されて、シール部材６０によるシール性がより向上することとなる。
【００２８】
以上説明したように、本実施形態に係る携帯端末１０では、主ケース２０には、組付時に被収容物が収容される第１収容空間２１及び第２収容空間２２をそれぞれ囲うように環状の溝部２３，２４が形成され、第１ケース３０及び第２ケース４０には、組付時に溝部２３，２４に対向する対向部３１，４１がそれぞれ形成される。そして、溝部２３，２４内には、組付時にシール空間Ｓをシールする環状のシール部材６０がそれぞれ配置され、このシール部材６０は、溝部２３，２４に沿う方向に直交する断面の形状が、中央部６１と当該中央部６１から外方へ突出する複数の突起部６２ａ〜６２ｄとを備えるように形成される。
【００２９】
これにより、主ケース２０と第１ケース３０及び第２ケース４０との組み付け時には、シール部材６０は、第１収容空間２１に関して溝部２３及び対向部３１の押圧により各突起部６２ａ〜６２ｄが押し潰されるように弾性変形して圧縮され、第２収容空間２２に関して溝部２４及び対向部４１の押圧により各突起部６２ａ〜６２ｄが押し潰されるように弾性変形して圧縮される。その一方で、上記押圧により各突起部６２ａ〜６２ｄが幅方向（中央部６１の外面に沿う方向）に弾性変形できるスペースが確保される。このため、上記圧縮率を高めたとしても、Ｏリングのように外面の大半にて溝部及び対向部に接触する場合と比較して、シール空間Ｓでの充填率が低減される。したがって、シール空間Ｓをシールするシール部材６０の圧縮率を高めつつ充填率を低減することができる。
【００３０】
また、シール部材６０は、溝部２３，２４に沿う方向に直交する断面の形状が、全周にわたって、中央部６１と複数の突起部６２ａ〜６２ｄとを備えるように形成されるため、シール部材６０の全周にわたって圧縮率を高めつつ充填率を低減することができる。
【００３１】
なお、シール部材６０は、溝部２３，２４に沿う方向に直交する断面の形状が、全周にわたって、中央部６１と複数の突起部６２ａ〜６２ｄとを備えるように形成されることに限らず、使用される環境等によっては、全周の一部において、中央部６１と複数の突起部６２ａ〜６２ｄとを備えるように形成されてもよい。
【００３２】
さらに、シール部材６０は、溝部２３，２４に沿う方向に直交する断面の形状が、中央部６１に対して４つの突起部６２ａ〜６２ｄが等間隔に配置されて外方へ突出するように形成される。これにより、シール部材６０は、断面Ｘ字状に形成されるため、組み付け時のねじれに対してねじれ難い形状となり、組み付け性を向上させることができる。特に、４つの突起部６２ａ〜６２ｄが等間隔に配置されるため、水圧等の外圧Ｐが外部からシール空間Ｓに作用する場合でも、その外圧Ｐが突起部を溝部や対向部に押し付ける方向に作用することとなり、低い圧縮率でも高いシール性を保つことができる。これにより、シール部材６０の圧縮率に対する設計余裕度を容易に確保でき、温度変化による膨張・収縮や落下等外力による変形、経年変化などに対して強いシール構造とすることができる。
【００３３】
なお、シール部材６０は、中央部６１に対して４つの突起部６２ａ〜６２ｄが等間隔に配置されて外方へ突出するように形成されることに限らず、２つや３つの突起部を備えるように形成されてもよいし、５つ以上の突起部を備えるように形成されてもよい。例えば、図５（Ａ）に示すシール部材６０ａのように、中央部６１に対して２つの突起部６２ｅ，６２ｆが逆方向に突出するように形成されてもよい。
【００３４】
このようにしても、例えば、主ケース２０と第１ケース３０とが組み付けられる第１収容空間２１では、図５（Ｂ）に示すように、溝部２３及び対向部３１の押圧により各突起部６２ｅ，６２ｆが押し潰されるように弾性変形して圧縮される。その一方で、上記押圧により各突起部６２ｅ，６２ｆが幅方向（中央部６１の外面に沿う方向）に弾性変形できるスペースが確保される。このため、上記圧縮率を高めたとしても、Ｏリングのように外面の大半にて溝部及び対向部に接触する場合と比較して、シール空間Ｓでの充填率が低減される。したがって、シール空間Ｓをシールするシール部材の圧縮率を高めつつ充填率を低減することができる。
【００３５】
なお、本発明は上記実施形態等に限定されるものではなく、例えば、以下のように具体化してもよい。
（１）本発明に係るシール部材６０，６０ａを用いたシール構造は、上述した無線タグリーダライタ及び情報コードリーダの双方の機能を兼備する携帯端末１０に採用されることに限らず、例えば、無線タグリーダライタ及び情報コードリーダのいずれか一方の機能を有する携帯端末に採用されてもよいし、さらに他の機能を有する携帯端末や据え置き型の端末などの端末装置に採用されてもよい。
【００３６】
（２）シール空間Ｓを構成するための対向部は、上述した対向部３１，４１のように平面状に形成されることに限らず、溝部の形状にあわせて、例えば、段状に形成されてもよい。
【００３７】
（３）シール空間Ｓを構成するための溝部は、上述した溝部２３，２４のように主ケース２０に形成されることに限らず、第１ケース３０や第２ケース４０に形成されてもよい。この場合には、第１ケース３０や第２ケース４０に形成される溝部に応じて、シール空間Ｓを構成するように主ケース２０に対向部を設けることができる。
【００３８】
（４）本発明に係るシール部材６０，６０ａによってシールされるシール空間Ｓを構成する溝部２３，２４及び対向部３１，４１は、従来のＯリングにてシールされるシール空間を構成する溝部及び対向部と同じ形状である。このため、Ｏリングを利用していた従来の端末装置に対して、Ｏリングを本発明に係るシール部材６０，６０ａに切り替えるだけで、上述したシール部材の圧縮率を高めつつ充填率を低減する効果を奏することができる。
【符号の説明】
【００３９】
１０…携帯端末（端末装置）
１１…筐体
２０…主ケース（一方のケース）
２１…第１収容空間
２２…第２収容空間
２３，２４…溝部
３０…第１ケース（他方のケース）
３１…対向部
４０…第２ケース（他方のケース）
４１…対向部
６０，６０ａ…シール部材
６１…中央部
６２ａ〜６２ｆ…突起部
Ｓ…シール空間
【図１】
2019192665.tif 000003
【図２】
2019192665.tif 000004
【図３】
2019192665.tif 000005
【図４】
2019192665.tif 000006
【図５】
2019192665.tif 000007